(57)【要約】【課題】ラップフィルム等を引き出す時に、安定して容易に引き出すことができ、かつ、引出したラップフィルムが、収納したロール状包装材料に巻き戻されることを防止し、簡単にカートンに形成することができる構造のロール状包装材料収納カートンを提供する。【解決手段】本発明は、本体前板、本体底板、本体後板、両本体側板からなるカートン本体とその上方開口部の一側縁に起伏自在に連接された蓋体を有するロール状包装材料収納カートンであって、本体前板と両本体側板とがなす角部、本体後板と両本体側板とがなす角部、本体底板と両本体側板とがなす角部の内少なくとも一つの角部の内側に突出した保持部が形成されているロール状包装材料収納カートンであり、角部の折れ線を凸レンズ形状等に設けられた二重折れ線とし、折り曲げた時に、カートン本体の角部の内側に突出した保持部に形成されることを特徴とする。【選択図】図１
2006298413.tif 000002
【特許請求の範囲】
【請求項１】
ラップフィルム等のロール状包装材料が収納される本体前板、本体底板、本体後板、両本体側板からなるカートン本体とその上方開口部の一側縁に起伏自在に連接された蓋体を有するロール状包装材料収納カートンであって、前記本体前板と前記両本体側板とがなす角部、前記本体後板と前記両本体側板とがなす角部、前記本体底板と前記両本体側板とがなす角部の内少なくとも一つの角部の内側に突出した保持部が形成されていることを特徴とするロール状包装材料収納カートン。
【請求項２】
前記カートン本体が、前記本体前板、前記本体底板、前記本体後板が順次折れ線を介して連設され、前記本体前板の両側辺には、本体折り込み片がそれぞれ二重折れ線を介して連設され、前記本体底板の両側辺には、前記本体側板がそれぞれ折れ線を介して連設され、そして、前記本体後板の両側辺には、本体折り込み片がそれぞれ二重折れ線を介して連設されているブランクから組み立てられていることを特徴とする請求項１に記載のロール状包装材料収納カートン。
【請求項３】
前記カートン本体が、前記本体前板、前記本体底板、前記本体後板が順次折れ線を介して連設され、前記本体前板の両側辺には、本体折り込み片がそれぞれ二重折れ線を介して連設され、前記本体底板の両側辺には、前記本体側板がそれぞれ二重折れ線を介して連設され、そして、前記本体後板の両側辺には、本体折り込み片がそれぞれ二重折れ線を介して連設されているブランクから組み立てられていることを特徴とする請求項１に記載のロール状包装材料収納カートン。
【請求項４】
前記二重折れ線は少なくとも一部が二重であり、二重となる二本の折れ線がそれぞれ弧状に膨らんだ形状で、前記折れ線の間の前保持部の形状は凸レンズ形状となり、該前保持部が、前記二重折れ線を折り曲げた時に、カートン本体のそれぞれの前記角部の内側に突出した前記保持部に形成されることを特徴とする請求項２又は３に記載のロール状包装材料収納カートン。
【請求項５】
前記二重折れ線は少なくとも一部が二重であり、二重となる二本の折れ線がそれぞれくの字状に膨らんだ形状で、前記折れ線の間の前保持部の形状は菱形状となり、該前保持部が、前記二重折れ線を折り曲げた時に、カートン本体のそれぞれの前記角部の内側に突出した前記保持部に形成されることを特徴とする請求項２又は３に記載のロール状包装材料収納カートン。
【請求項６】
前記二重折れ線は少なくとも一部が二重であり、二重となる二本の折れ線がそれぞれ台形状に膨らんだ形状で、前記折れ線の間の前保持部の形状は六角形状となり、該前保持部が、前記二重折れ線を折り曲げた時に、カートン本体のそれぞれの前記角部の内側に突出した前記保持部に形成されることを特徴とする請求項２又は３に記載のロール状包装材料収納カートン。
【発明の詳細な説明】
【技術分野】
【０００１】
本発明は、食品包装等に用いられるロール状のラップフィルム等を収納するロール状包装材料収納カートンに関するものであり、詳しくは、収納したロールに巻いたラップフィルム等が巻き戻りしにくいように改良したロール状包装材料収納カートンに関するものである。
【背景技術】
【０００２】
食品等を包むのに用いられるラップフィルム等の包装材料は、通常、紙管に巻かれたロール状包装材料として専用の紙製のロール状包装材料収納カートン内に収納されている。そして、ロール状包装材料収納カートンからラップフィルムの包装材料を所望の長さに引き出した後、カートンに取り付けた金属等の鋸刃により切断して使用するという形態となっている。ところで、従来のこの種のロール状包装材料収納カートンでは、紙管に巻いたラップフィルムを引き出した後に、ラップフィルム端部がカートン内に戻ってしまうという、いわゆる逆戻り現象が発生し、このラップフィルム端部がロール側に密着し、再度端部を引き出すことが難しいという問題があった。この問題を解消するために、従来から、逆戻し防止手段を備えた形態のロール状包装材料収納カートンが提案されている（例えば、特許文献１参照。）。
【０００３】
【特許文献１】特開平８−１６９４４１号公報
【発明の開示】
【発明が解決しようとする課題】
【０００４】
しかしながら、上記のカートン本体の前板の上縁から内側に延びた押さえ板を有するロール状包装材料収納カートンでは、押さえ板によりロール状包装材料がカートン本体から飛び出すことを防ぐ効果および巻き戻り防止の効果はあるものの、カートン本体内で収納されたロール状包装材料のあそびが大きくあり、カートン本体内で動き易く、後方に動いてラップフィルム等が巻き戻ることがある。また、ロール状包装材料収納カートンからラップフィルム等を引き出す時の抵抗が増して不安定であるという問題がある。
【０００５】
本発明は、上記のような問題点に鑑みなされたものであり、その目的とするところは、ラップフィルム等のロール状包装材料を収納するカートンであって、ラップフィルム等を引き出す時に、安定して容易に引き出すことができ、かつ、引出したラップフィルムが、収納したロール状包装材料に巻き戻されることを防止し、簡単にカートンに形成することができる構造のロール状包装材料収納カートンを提供することにある。
【課題を解決するための手段】
【０００６】
上記目的を達成するために、請求項１の発明は、ラップフィルム等のロール状包装材料が収納される本体前板、本体底板、本体後板、両本体側板からなるカートン本体とその上方開口部の一側縁に起伏自在に連接された蓋体を有するロール状包装材料収納カートンであって、前記本体前板と前記両本体側板とがなす角部、前記本体後板と前記両本体側板とがなす角部、前記本体底板と前記両本体側板とがなす角部の内少なくとも一つの角部の内側に突出した保持部が形成されていることを特徴とするロール状包装材料収納カートンである。
【０００７】
また、請求項２の発明は、請求項１の発明において、前記カートン本体が、前記本体前板、前記本体底板、前記本体後板が順次折れ線を介して連設され、前記本体前板の両側辺には、本体折り込み片がそれぞれ二重折れ線を介して連設され、前記本体底板の両側辺には、前記本体側板がそれぞれ折れ線を介して連設され、そして、前記本体後板の両側辺には、本体折り込み片がそれぞれ二重折れ線を介して連設されているブランクから組み立てられていることを特徴とするロール状包装材料収納カートンである。
【０００８】
また、請求項３の発明は、請求項１の発明において、前記カートン本体が、前記本体前板、前記本体底板、前記本体後板が順次折れ線を介して連設され、前記本体前板の両側辺には、本体折り込み片がそれぞれ二重折れ線を介して連設され、前記本体底板の両側辺には、前記本体側板がそれぞれ二重折れ線を介して連設され、そして、前記本体後板の両側辺には、本体折り込み片がそれぞれ二重折れ線を介して連設されているブランクから組み立てられていることを特徴とするロール状包装材料収納カートンである。
【０００９】
また、請求項４の発明は、請求項２又は３の発明において、前記二重折れ線は少なくとも一部が二重であり、二重となる二本の折れ線がそれぞれ弧状に膨らんだ形状で、前記折れ線の間の前保持部の形状は凸レンズ形状となり、該前保持部が、前記二重折れ線を折り曲げた時に、カートン本体のそれぞれの前記角部の内側に突出した前記保持部に形成されることを特徴とするロール状包装材料収納カートンである。
【００１０】
さらに、請求項５の発明は、請求項２又は３の発明において、前記二重折れ線は少なくとも一部が二重であり、二重となる二本の折れ線がそれぞれくの字状に膨らんだ形状で、前記折れ線の間の前保持部の形状は菱形状となり、該前保持部が、前記二重折れ線を折り曲げた時に、カートン本体のそれぞれの前記角部の内側に突出した前記保持部に形成されることを特徴とするロール状包装材料収納カートンである。
【００１１】
さらにまた、請求項６の発明は、請求項２又は３の発明において、前記二重折れ線は少なくとも一部が二重であり、二重となる二本の折れ線がそれぞれ台形状に膨らんだ形状で、前記折れ線の間の前保持部の形状は六角形状となり、該前保持部が、前記二重折れ線を折り曲げた時に、カートン本体のそれぞれの前記角部の内側に突出した前記保持部に形成されることを特徴とするロール状包装材料収納カートンである。
【発明の効果】
【００１２】
本発明のロール状包装材料収納カートンでは、ラップフィルム等が巻かれたロール状包装材料を収納するカートンであって、カートン本体の４つの角部、すなわち、本体前板と両本体側板とがなす２つの角部、および、本体後板と両本体側板とがなす２つの角部、に内側に突出した保持部を設けることにより、カートン本体に収納したロール状包装材料の両端を保持部で保持することができ、カートン本体内でのロール状包装材料のあそびが少なくなり、引き出したラップフィルム等がカットした後に巻き戻ることを防止することができるという効果を有する。
【００１３】
また、カートン本体の６つの角部、すなわち、本体前板と両本体側板とがなす２つの角部、本体後板と両本体側板とがなす２つの角部、および、本体底板と両本体側板とがなす２つの角部に内側に突出した保持部を設けることにより、カートン本体に収納したロール状包装材料の両端を保持部で保持することができ、さらに、カートン本体内でのロール状包装材料のあそびが少なくなり、引き出したラップフィルム等がカットした後に巻き戻ることを防止することができるという効果を有する。このように角部に内側に突出した保持部を設けることにより、特に、ラップフィルム等が消費されてロール状包装材料の外径が小さくなっても、紙管を保持することができ、カートン本体内でのロール状包装材料のあそびが少なく、引き出したラップフィルム等がカットした後に巻き戻ることを防止することができるという効果を有する。
【００１４】
また、紙管両端を保持部で部分的接触で保持するため、スムースな回転を妨げることなく、ラップフィルム等をロール状包装材料から安定して引き出すことができ、かつ、簡単にカートンに形成することができるという効果を有するものである。
【発明を実施するための最良の形態】
【００１５】
つぎに、本発明のロール状包装材料収納カートンの実施の形態を実施例をあげて説明する。図１は、本発明のロール状包装材料収納カートンの実施の形態の一実施例を示す斜視図であり、図２は、図１に示すロール状包装材料収納カートンを形成するブランクを示す展開図であり、図３は、二重折れ線の他の形状例を示す部分拡大図であり、図４は、本発明のロール状包装材料収納カートンの別の実施の形態の一実施例を示す斜視図であり、図５は、図４に示すロール状包装材料収納カートンを形成するブランクを示す展開図であり、図６は、本発明のロール状包装材料収納カートンを折り畳まれた状態に組み立てる工程を説明する図であり、図７は、本発明のロール状包装材料収納カートンにロール状包装材料を収納する工程を説明する図であり、そして、図８は、本発明のロール状包装材料収納カートンを開封する状態を示す斜視図である。
【００１６】
図１は、本発明のロール状包装材料収納カートンの実施の形態の一実施例を示す斜視図であり、ロール状包装材料収納カートン１は、図１−ａに示すように、ラップフィルムＳを紙管Ｔに巻回したロール状包装材料Ｒを収納するカートン本体１０と蓋体２０とから構成されている。本発明のロール状包装材料収納カートンは公知のロール状包装材料収納カートンと異なり、図１−ｂに示すように、カートン本体１０の４つの角部、すなわち、本体前板１１と両本体側板１５、１５とがなす角部、本体後板１３と両本体側板１５、１５とがなす角部、に内側に突出した保持部Ｐがそれぞれ形成されていることが特長である。この保持部Ｐが形成されていることによって、ロール状包装材料Ｒがカートン本体１０内で大きく動くことなく保持され、カートン本体１０から飛び出しにくくなり、そして、ラップフィルムＳがロール状包装材料Ｒに巻き戻りにくくなる。実際に、一般家庭等において使用する時に、このロール状包装材料収納カートン１からラップフィルムＳの必要な長さを引き出し、主に魚介、蔬菜、果実類等の食品の包装用に使用されている。
【００１７】
図２は、本発明はロール状包装材料収納カートン１のブランクを示す展開図である。ブランク１Ａは、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ二重折れ線ｃ、ｃを介して連設され、本体底板１２の両側辺には、本体側板１５、１５がそれぞれ折れ線ｄ、ｄを介して連設され、そして、本体後板１３の両側辺には、本体折り込み片１６、１６がそれぞれ二重折れ線ｅ、ｅを介して連設されている。
【００１８】
また、二重折れ線ｃは、二本の折れ線ｃ１、ｃ２がそれぞれ弧状に膨らんだ形状であり、二本の折れ線ｃ１、ｃ２の間の前保持部ｐは凸レンズ形状となっている。同様に、二重折れ線ｅは、二本の折れ線ｅ１、ｅ２がそれぞれ弧状に膨らんだ形状で、二本の折れ線ｅ１、ｅ２の間の前保持部ｐは凸レンズ形状となっている。この凸レンズ形状の前保持部ｐがカートン本体１０のそれぞれの角部において、二重折れ線ｃ、ｃ、二重折れ線ｅ、ｅを折り曲げた時に内側に突出した保持部Ｐをそれぞれ形成することになる。これらの二重折れ線ｃ、ｃ、二重折れ線ｅ、ｅは、他の折れ線と同様に、押し罫でよいが、さらに、ミシン目、リード罫、ハーフカット等とすることもできる。
【００１９】
また、二重折れ線ｃを形成する二本の折れ線ｃ１、ｃ２、および、二重折れ線ｅを形成する二本の折れ線ｅ１、ｅ２は、本例においては、それぞれ弧状に膨らんだ形状とし、二本の折れ線ｃ１、ｃ２の間および二本の折れ線ｅ１、ｅ２の間の前保持部ｐの形状を凸レンズ形状としているが、本例以外にも、図３−ａに示すように、それぞれくの字形状に膨らんだ形状とし、二本の折れ線の間の前保持部ｐ１の形状を菱形状とすることもできる。また、図３−ｂに示すように、それぞれ台形状に膨らんだ形状とし、二本の折れ線の間の前保持部ｐ２の形状を六角形状とすることもできる。また、図３−ｃに示すように、一部を弧状に膨らんだ形状、図３−ｄに示すように、一部をくの字状に膨らんだ形状、図３−ｅに示すように、一部を台形状に膨らんだ形状とすることもできる。さらに、図３−ｆ、ｇ、ｈに示すように、膨らんだ二本の折れ線ｃ１、ｃ２の間および二本の折れ線ｅ１、ｅ２の間を結ぶ折れ線ｑを設けることもできる。この折れ線を設けることによって、二重折れ線が折り曲げ易くなり、折り曲げた後に確実に保持部Ｐが形成される。
【００２０】
一方、蓋体２０の部分では、蓋体天板２１が本体後板１３の下辺に折れ線ｇを介して連設され、そして、この蓋体天板２１の下辺には、蓋体前板２２が折れ線ｈを介して連設されている。また、蓋体天板２１の両側辺には、蓋体側板２３，２３がそれぞれ折れ線ｋ、ｋを介して連設され、蓋体前板２２の両側辺には、蓋体折り込み片２４、２４がそれぞれ折れ線ｉ、ｉを介して連設されている。また、蓋体前板２２には使用時に切り離して鋸刃Ｃを露出させるための切り取り部２２ａが破断線Ｄで区画され、その切り取り部２２ａが貼り合せられる本体前板１１の部分には、表面からの半切れで形成した複数の接着領域Ｈが形成されている。この接着領域Ｈで、本体前板１１に蓋体前板２２の切り取り部２２ａが貼り合わされる。
【００２１】
図４は、本発明のロール状包装材料収納カートンの別の実施の形態の一実施例を示す斜視図であり、ロール状包装材料収納カートン２は、図４−ａに示すように、ラップフィルムＳを紙管Ｔに巻回したロール状包装材料Ｒを収納するカートン本体１０と蓋体２０とから構成されている。本発明のロール状包装材料収納カートンは公知のロール状包装材料収納カートンと異なり、図４−ｂに示すように、カートン本体１０の６つの角部、すなわち、本体前板１１と両本体側板１５、１５とがなす角部、本体後板１３と両本体側板１５、１５とがなす角部、本体後板１３と両本体側板１５、１５とがなす角部、本体前板１１と両本体側板１５、１５とがなす角部、本体底後板１２と両本体側板１５、１５とがなす角部、に内側に突出した保持部Ｐがそれぞれ形成されていることが特長である。この保持部Ｐが形成されていることによって、ロール状包装材料Ｒがカートン本体１０内で大きく動くことなく保持され、カートン本体１０から飛び出しにくくなり、そして、ラップフィルムＳがロール状包装材料Ｒに巻き戻りにくくなる。実際に、一般家庭等において使用する時に、このロール状包装材料収納カートン１からラップフィルムＳの必要な長さを引き出し、主に魚介、蔬菜、果実類等の食品の包装用に使用されている。
【００２２】
図５は、本発明はロール状包装材料収納カートン２のブランクを示す展開図である。ブランク２Ａは、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ二重折れ線ｃ、ｃを介して連設され、本体底板１２の両側辺には、そして、本体後板１３の両側辺には、本体折り込み片１６、１６がそれぞれ二重折れ線ｅ、ｅを介して連設されている。さらに、ロール状包装材料収納カートン２のブランク２Ａでは、ロール状包装材料収納カートン１のブランク１Ａの形状に加えて２本体側板１５、１５もそれぞれ二重折れ線ｄ、ｄを介して連設されている。二重折れ線ｃを形成する二本の折れ線ｃ１、ｃ２、二重折れ線ｅを形成する二本の折れ線ｅ１、ｅ２、および、二重折れ線ｃを形成する二本の折れ線ｄ１、ｄ２の形状等については、ロール状包装材料収納カートン１のブランク１Ａと同様である。
【００２３】
なお、ロール状包装材料収納カートン１では、カートン本体１０の４つの角部、すなわち、本体前板１１と両本体側板１５、１５とがなす角部、本体後板１３と両本体側板１５、１５とがなす角部、に内側に突出した保持部Ｐがそれぞれ形成されていることが特長であり、ロール状包装材料収納カートン２では、カートン本体１０の６つの角部、すなわち、本体前板１１と両本体側板１５、１５とがなす角部、本体後板１３と両本体側板１５、１５とがなす角部、本体後板１３と両本体側板１５、１５とがなす角部、本体前板１１と両本体側板１５、１５とがなす角部、本体底後板１２と両本体側板１５、１５とがなす角部、に内側に突出した保持部Ｐがそれぞれ形成されていることが特長である。さらに、蓋体２０の蓋体天板２１と蓋体側板２３、２３とがなす角部にも内側に突出した保持部Ｐをそれぞれ形成した形状とすることもできる。
【００２４】
つぎに、上記の構成からなる板紙製のブランクを組み立ててロール状包装材料収納カートン１を形成する工程を説明する。すなわち、ブランク１Ａの必要な箇所に糊付けしつつ折れ線に従って折り曲げて折り畳まれたロール状包装材料収納カートン１を作製し、その後、自動充填包装ラインでロール状包装材料収納カートン１の中にラップフィルムＳがロール状に巻かれたロール状包装材料Ｒを収納する。
【００２５】
まず、折り返し板１７を、図６−ａに示すように、折れ線ｆで内側に折り返し、本体前板１１の裏面の上縁部に貼り合わせる。ついで、本体前板１１を折れ線ａで内側に折り曲げる。さらに、図６−ｂに示すように、蓋体天板２１を折れ線ｇで折り曲げて蓋体前板２２を本体前板１１の上に重ね、蓋体前板２２の切り取り部２２ａと本体前板１１に貼り合せて、図６−ｃに示すような折り畳まれたロール状包装材料収納カートン１を作製する。このように折り畳まれた状態において、内容物のロール状包装材料Ｒを充填する前の保管、輸送等を行う。
【００２６】
つぎに、自動充填包装ラインでロール状包装材料収納カートン２に内容物のラップフィルムＳ等が巻かれたロール状包装材料Ｒを収納する。折り畳まれた状態のロール状包装材料収納カートン１を起こして、図７−ａに示すような四角柱形状とし、一方の側面の開口部からロール状包装材料Ｒを挿入する。ロール状包装材料Ｒを挿入した後、図７−ｂに示すように、本体折り込み片１４、１６を折り曲げる。この時、折り曲げた角部には、内側に突出した保持部Ｐがそれぞれ形成される。そして、その上に本体側板１５を折り曲げて本体折り込み片１４、１６と側板１５を貼り合わせる。ついで、蓋体折り込み片２４を折り曲げ、その上に、蓋体側板２３を折り曲げて貼り合わせることによって、一方の側面が形成される。同様にして、もう一方の側面を形成して、図７−ｃに示すようなロール状包装材料収納カートン１が完成される。
【００２７】
実際に、本発明のロール状包装材料収納カートンを使用するには、図８に示すように、蓋体前板２２の切り取り部２２ａを本体前板１１から剥がしながら破断線Ｄに沿って切り取って除去した後、図１に示すように蓋体２０を開け、中のラップフィルムＳの端縁を摘んで所望の長さだけ引き出してから鋸刃Ｃで切断する。この時、本体前板１７の上端辺Ｐが波形状であることから、カートンからラップフィルムＳをスムースに引き出すことができる。
【００２８】
さらに、上記の具体例ではロール状包装材料収納カートンについて説明したが、本発明はカートン本体と蓋体とが一体構成されるロール状包装材料収納カートン一般について適用可能であり、また、実施例で示したような直線状の鋸刃を備えたカートンのみならず、中央部がＶ字状に突出したいわゆるＶ字形状の鋸刃が取り付けられたカートンにも適用できることは言うまでもない。
【産業上の利用可能性】
【００２９】
本発明のロール状包装材料収納カートンは、主にラップフィルムのロール状包装材料を収納するカートンであり、材料は、例えば、塩化ビニリデン系、塩化ビニール系、ポリエチレン系等の合成樹脂フィルムである。また、ラップフィルム以外にも、アルミホイル、ワックスペーパー、その他家庭または店舗等でのロール状包装材料を収納するロール状包装材料収納カートンにも利用可能なものである。
【図面の簡単な説明】
【００３０】
【図１】本発明のロール状包装材料収納カートンの実施の形態の一実施例を示す斜視図である。
【図２】図１に示すロール状包装材料収納カートンを形成するブランクを示す展開図である。
【図３】二重折れ線の他の形状例を示す部分拡大図である。
【図４】本発明のロール状包装材料収納カートンの別の実施の形態の一実施例を示す斜視図である。
【図５】図４に示すロール状包装材料収納カートンを形成するブランクを示す展開図である。
【図６】本発明のロール状包装材料収納カートンを折り畳まれた状態に組み立てる工程を説明する図である。
【図７】本発明のロール状包装材料収納カートンにロール状包装材料を収納する工程を説明する図である。
【図８】本発明のロール状包装材料収納カートンを開封する状態を示す斜視図である。
【符号の説明】
【００３１】
１      ロール状包装材料収納カートン
２      ロール状包装材料収納カートン
１Ａ    ブランク
２Ａ    ブランク
１０      カートン本体
１１      本体前板
１２      本体底板
１３      本体後板
１４      本体折り込み片
１５      本体側板
１６      本体折り込み片
１７      折り返し板
２０      蓋体
２１      蓋体天板
２２      蓋体前板
２２ａ    切り取り部
２３      蓋体側板
２４      蓋体折り込み片
Ｐ      保持部
ｐ      前保持部
Ｒ      ロール状包装材料
Ｓ      ラップフィルム
Ｔ      紙管
Ｈ      接着領域
Ｃ      鋸刃
Ｄ      切断線
ａ〜ｊ    折れ線
ｃ１、ｃ２  二重折れ線
ｄ１、ｄ２  二重折れ線
ｅ１、ｅ２  二重折れ線
【図１】
2006298413.tif 000003
【図２】
2006298413.tif 000004
【図３】
2006298413.tif 000005
【図４】
2006298413.tif 000006
【図５】
2006298413.tif 000007
【図６】
2006298413.tif 000008
【図７】
2006298413.tif 000009
【図８】
2006298413.tif 000010